(57)【要約】【課題】実在高と在高データとが不一致となった精査結果を操作者に良く認識させることが可能な貨幣処理装置を提供する。【解決手段】貨幣入出金機１は、操作表示部１７および制御部２１を備え、貨幣収納部に収納されている貨幣の実在高と管理上の在高データとの比較をする精査処理を行う。制御部２１は、精査結果を操作表示部１７に表示させ、終了操作を受け付けると精査結果の表示を終了させるとともに、実在高と在高データとが一致するか否かに応じて、終了操作の受け付けの態様を異ならせる。【選択図】図３
2019008398.tif 000002
【特許請求の範囲】
【請求項１】
貨幣収納部に収納されている貨幣の実在高と管理上の在高データとの比較をする精査処理を行うことが可能な貨幣処理装置において、
表示部および制御部を備え、
前記制御部は、
精査結果を前記表示部に表示させ、終了操作を受け付けると前記精査結果の表示を終了させるとともに、
前記実在高と前記在高データとが一致するか否かに応じて、前記終了操作の受け付けの態様を異ならせる、
ことを特徴とする貨幣処理装置。
【請求項２】
前記終了操作の対象となる第１の終了ボタンおよび第２の終了ボタンが互いに異なる位置に配置され、
前記制御部は、
前記実在高と前記在高データとが一致する場合、前記第１の終了ボタンによる前記終了操作を受け付けると、前記精査結果の表示を終了させ、
前記実在高と前記在高データとが一致しない場合、前記第２の終了ボタンによる前記終了操作を受け付けると、前記精査結果の表示を終了させる、
ことを特徴とする請求項１に記載の貨幣処理装置。
【請求項３】
前記第１の終了ボタンおよび前記第２の終了ボタンのうち、一方の終了ボタンは、前記表示部に表示された画面上に配置され、他方の終了ボタンは、前記表示部の外に配置される、
ことを特徴とする請求項２に記載の貨幣処理装置。
【請求項４】
前記第１の終了ボタンは、前記表示部に表示された、前記実在高と前記在高データとが一致する精査結果を示す第１の画面上に配置され、
前記第２の終了ボタンは、前記表示部に表示された、前記実在高と前記在高データとが一致しない精査結果を示す第２の画面上における前記第１の画面での位置とは異なる位置に配置される、
ことを特徴とする請求項２に記載の貨幣処理装置。
【請求項５】
前記制御部は、
前記表示部に表示された第３の画面上での遷移ボタンの操作により、当該第３の画面から前記第１の画面または前記第２の画面へと遷移させ、
前記第１の画面へ遷移した場合は、前記表示部において前記遷移ボタンが配置されていた位置と相対的に近い位置に前記第１の終了ボタンを配置させ、
前記第２の画面へ遷移した場合は、前記表示部において前記遷移ボタンが配置されていた位置と相対的に遠い位置に前記第２の終了ボタンを配置させる、
ことを特徴とする請求項４に記載の貨幣処理装置。
【請求項６】
前記制御部は、
前記実在高と前記在高データとが一致する場合、第１の終了操作を受け付けると、前記精査結果の表示を終了させ、
前記実在高と前記在高データとが一致しない場合、前記第１の終了操作を受け付けると、終了の可否を確認するための確認処理を行い、当該確認処理の後に第２の終了操作を受け付けると、前記精査結果の表示を終了させる、
ことを特徴とする請求項１に記載の貨幣処理装置。
【請求項７】
前記終了操作の対象となる終了ボタンを、さらに備え、
前記制御部は、
前記実在高と前記在高データとが一致する場合、前記終了ボタンが第１の操作方法で操作されると、前記精査結果の表示を終了させ、
前記実在高と前記在高データとが一致しない場合、前記終了ボタンが前記第１の操作方法と異なる第２の操作方法で操作されると、前記精査結果の表示を終了させる、
ことを特徴とする請求項１に記載の貨幣処理装置。
【発明の詳細な説明】
【技術分野】
【０００１】
本発明は、貨幣の入出金等を行う貨幣処理装置に関する。
【背景技術】
【０００２】
従来、金融機関等に設置される貨幣処理装置では、たとえば、特許文献１に記載されているように、貨幣収納部に収納されている貨幣（紙幣、硬貨）を計数して得られた実際の在高（実在高）と貨幣収納部に収納されている貨幣の在高として管理されている在高データとが一致をするかを精査する精査処理を行うことができる。
【０００３】
精査処理の結果、即ち、実在高とありだか在高データとの間の差額の有無は、通常、貨幣処理装置に備えられた表示部に表示される。テラー等の操作者は、表示部に表示された画面上で差額の有無を確認した後、終了ボタンを押す操作等の終了操作を行う。これにより、差額の有無が表示された画面が閉じられる。
【先行技術文献】
【特許文献】
【０００４】
【特許文献１】特開２０１４−１８６７４５号公報
【発明の概要】
【発明が解決しようとする課題】
【０００５】
しかしながら、精査処理を早く終わらせたいとの思いから、操作者が差額の有無を良く確認せずに終了操作を行ってしまうことが起こり得る。この場合、終了操作によって差額が表示された画面が閉じてしまうので、差額が発生しているにもかかわらずその情報が操作者に認識されないとの状況が生じやすい。
【０００６】
このような状況が生じやすい要因の一つとして、従来の場合は、差額が生じていない場合も差額が生じている場合も、同じ一つの終了ボタンが単純に押される等、終了操作が同じであるため、精査処理に係る一連の操作の流れの中で安易に終了操作が行われてしまいやすい、ということが挙げられる。
【０００７】
かかる課題に鑑み、本発明は、実在高と在高データとが不一致となった精査結果を操作者に良く認識させることが可能な貨幣処理装置を提供することを目的とする。
【課題を解決するための手段】
【０００８】
本発明の主たる態様は、貨幣収納部に収納されている貨幣の実在高と管理上の在高データとの比較をする精査処理を行うことが可能な貨幣処理装置に関する。本態様に係る貨幣処理装置は、表示部および制御部を備える。ここで、前記制御部は、精査結果を前記表示部に表示させ、終了操作を受け付けると前記精査結果の表示を終了させるとともに、前記実在高と前記在高データとが一致するか否かに応じて、前記終了操作の受け付けの態様を異ならせる。
【０００９】
上記の構成によれば、在高と在高データとが一致する場合と一致しない場合とで、終了操作の受け付けの態様を異ならせるようにしたので、精査処理に係る一連の操作の流れの中で安易に終了操作が行われてしまうということが生じにくい。このため、実在高と在高データとが一致しないにもかかわらず、その結果を確認せずに精査処理を終了させてしまうということが生じにくく、操作者は、不一致の結果を十分に認識することができる。
【００１０】
本態様に係る貨幣処理装置において、前記終了操作の対象となる第１の終了ボタンおよび第２の終了ボタンが互いに異なる位置に配置されるような構成が採られ得る。この場合、前記制御部は、前記実在高と前記在高データとが一致する場合、前記第１の終了ボタンによる前記終了操作を受け付けると、前記精査結果の表示を終了させ、前記実在高と前記在高データとが一致しない場合、前記第２の終了ボタンによる前記終了操作を受け付けると、前記精査結果の表示を終了させる。
【００１１】
たとえば、前記第１の終了ボタンおよび前記第２の終了ボタンのうち、一方の終了ボタンは、前記表示部に表示された画面上に配置され、他方の終了ボタンは、前記表示部の外に配置されるような構成が採られ得る。
【００１２】
このような構成とされれば、前記第１の終了ボタンおよび前記第２の終了ボタンとの位置を大きく離すことが可能となるので、安易な終了操作が行われてしまうことが一層生じにくくなる。
【００１３】
また、たとえば、前記第１の終了ボタンは、前記表示部に表示された、前記実在高と前記在高データとが一致する精査結果を示す第１の画面上に配置され、前記第２の終了ボタンは、前記表示部に表示された、前記実在高と前記在高データとが一致しない精査結果を示す第２の画面上における前記第１の画面での位置とは異なる位置に配置されるような構成が採られ得る。
【００１４】
このような構成とされれば、表示部の外に設けられた操作手段を別途利用する必要がない。
【００１５】
さらに、上記のような構成とされた場合に、前記制御部は、前記表示部に表示された第３の画面上での遷移ボタンの操作により、当該第３の画面から前記第１の画面または前記第２の画面へと遷移させ、前記第１の画面へ遷移した場合は、前記表示部において前記遷移ボタンが配置されていた位置と相対的に近い位置に前記第１の終了ボタンを配置させ、前記第２の画面へ遷移した場合は、前記表示部において前記遷移ボタンが配置されていた位置と相対的に遠い位置に前記第２の終了ボタンを配置させるような構成とされ得る。
【００１６】
このような構成とされれば、実在高と在高データとが一致しているため確認がなくとも支障が生じにくい第１の画面では、第１の終了ボタンが先に表示される第３の画面上での遷移ボタンに近い位置に配置されるので、操作者は、遷移ボタンの操作に引き続いて第１の終了ボタンの操作を行いやすく、終了操作が行いやすくなる。一方、実在高と在高データとが一致していないために十分な確認が求められる第２の画面では、第２の終了ボタンが遷移ボタンの位置から遠い位置に配置されるので、操作者は、遷移ボタンの操作に引き続いて第２の終了ボタンの操作を行いにくく、安易に終了操作がなされてしまうことが生じにくい。
【００１７】
本態様に係る貨幣処理装置において、前記制御部は、前記実在高と前記在高データとが一致する場合、第１の終了操作を受け付けると、前記精査結果の表示を終了させ、前記実在高と前記在高データとが一致しない場合、前記第１の終了操作を受け付けると、終了の可否を確認するための確認処理を行い、当該確認処理の後に第２の終了操作を受け付けると、前記精査結果の表示を終了させるような構成とされ得る。
【００１８】
上記の構成によれば、実在高と在高データとが一致しない場合には、終了操作として、確認処理を挟んだ２回の操作が必要となるので、終了操作が複雑になる。このため、実在高と在高データとが一致しないにもかかわらず、その結果を確認せずに精査処理を終了させてしまうということが一層生じにくくなる。
【００１９】
本態様に係る貨幣処理装置において、前記終了操作の対象となる終了ボタンを、さらに備えるような構成が採られ得る。この場合、前記制御部は、前記実在高と前記在高データとが一致する場合、前記終了ボタンが第１の操作方法で操作されると、前記精査結果の表示を終了させ、前記実在高と前記在高データとが一致しない場合、前記終了ボタンが前記第１の操作方法と異なる第２の操作方法で操作されると、前記精査結果の表示を終了させる。
【００２０】
上記の構成によれば、実在高と在高データとが一致する場合と一致しない場合とで、同じ一つの終了ボタンを用いることができる。
【発明の効果】
【００２１】
以上のとおり、本発明によれば、実在高と在高データとが不一致となった精査結果を操作者に良く認識させることができる。
【００２２】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２３】
【図１】図１は、実施形態に係る、貨幣入出金機の構成を示す斜視図である。
【図２】図２は、実施形態に係る、貨幣入出金機の構成を示す概略図である。
【図３】図３は、実施形態に係る、貨幣入出金機の主たる構成を示すブロック図である。
【図４】図４（ａ）ないし（ｃ）は、実施形態に係る、操作表示部に表示される管理メニュー画面の一例を示す図である。
【図５】図５は、実施形態に係る、精査処理の制御動作を示すフローチャートである。
【図６】図６は、実施形態に係る、精査処理の制御動作を示すフローチャートである。
【図７】図７（ａ）は、実施形態に係る、操作表示部に表示される計数実行画面の一例を示す図であり、図７（ｂ）は、実施形態に係る、操作表示部に表示される計数結果画面の一例を示す図であり、図７（ｃ）は、実施形態に係る、操作表示部に表示される確認操作画面の一例を示す図である。
【図８】図８（ａ）は、実施形態に係る、差額が発生していない場合に操作表示部に表示される精査結果確認画面の一例を示す図であり、図８（ｂ）は、実施形態に係る、差額が発生している場合に操作表示部に表示される精査結果確認画面の一例を示す図である。
【図９】図９は、変更例１に係る、精査処理の制御動作を示すフローチャートである。
【図１０】図１０（ａ）は、変更例１に係る、差額が発生していない場合に操作表示部に表示される精査結果確認画面の一例を示す図であり、図１０（ｂ）は、変更例１に係る、差額が発生している場合に操作表示部に表示される精査結果確認画面の一例を示す図である。
【図１１】図１１は、変更例２に係る、精査処理の制御動作を示すフローチャートである。
【図１２】図１２（ａ）および（ｂ）は、変更例２に係る、操作表示部に表示される精査結果確認画面の一例を示す図であり、図１２（ｃ）は、変更例２に係る、操作表示部に表示される終了確認画面の一例を示す図である。
【図１３】図１３は、変更例３に係る、精査処理の制御動作を示すフローチャートである。
【図１４】図１４（ａ）および（ｂ）は、変更例３に係る、操作表示部に表示される精査結果確認画面の一例を示す図である。
【発明を実施するための形態】
【００２４】
以下、本発明の実施形態について図面を参照して説明する。
【００２５】
本実施形態において、貨幣入出金機１が、特許請求の範囲に記載の「貨幣処理装置」に対応する。また、操作表示部１７が、特許請求の範囲に記載の「表示部」に対応する。さらに、カセット１７０およびスタッカ１９０が、特許請求の範囲に記載の「貨幣収納部」に対応する。また、終了ボタンＢ４が、特許請求の範囲に記載の「第１の終了ボタン」に対応し、占有ボタン１８が、特許請求の範囲に記載の「第２の終了ボタン」に対応する。
【００２６】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００２７】
図１は、本実施形態に係る、貨幣入出金機１の構成を示す斜視図である。図２は、本実施形態に係る、貨幣入出金機１の構成を示す概略図である。
【００２８】
貨幣入出金機１は、銀行等の金融機関における窓口カウンタの内側で窓口業務を行う２人のテラー（操作者）の間に設置される。貨幣入出金機１は、各テラーによって操作される上位端末２に通信ケーブル３を介して接続されている。
【００２９】
貨幣入出金機１は、外郭を構成する外装体１０内に、紙幣入出金ユニット１１と硬貨入出金ユニット１２とを備える。紙幣入出金ユニット１１は、外装体１０内の下側に設けられ、紙幣の入金処理、出金処理等を行う。硬貨入出金ユニット１２は、外装体１０内の上側に設けられ、硬貨の入金処理、出金処理等を行う。
【００３０】
図１を参照し、外装体１０は、左右方向の横幅よりも前後方向の奥行が長く、上下方向の高さが左右方向の横幅よりも高いほぼ直方体形状を有する。外装体１０は、本体１０ａと、本体１０ａの前上部に設けられた外装カバー１０ｂと、本体１０ａの前面に設けられた扉体１０ｃとを備える。たとえば、外装カバー１０ｂは樹脂材料で形成され、本体１０ａおよび扉体１０ｃは金属材料で形成される。
【００３１】
外装カバー１０ｂには、上面に硬貨入金口１３が形成され、前面に紙幣出金口１４が形成され、上面から前面にかけて湾曲する湾曲面に紙幣入金口１５が形成される。紙幣出金口１４および紙幣入金口１５は、それぞれ、シャッター１４ａ、１５ａにより開閉される。また、外装カバー１０ｂの下部には、中央部にリジェクトボックス１６ａが配置され、左右両端に硬貨出金箱１６ｂが配置されている。リジェクトボックス１６ａおよび硬貨出金箱１６ｂは、前方へ引き出すことができる。
【００３２】
外装カバー１０ｂの後部には操作表示部１７が設けられる。操作表示部１７は、前方斜め上方を向くように外装カバー１０ｂに固定される。操作表示部１７は、たとえば、ディスプレイと、ディスプレイに対する操作の検出部であるタッチセンサとで構成されるタッチパネルを含む。操作表示部１７は、ディスプレイに各種の画像（画面）を表示するとともに、ディスプレイに対するユーザのタッチ操作をタッチセンサにより検出する。
【００３３】
外装カバー１０ｂの上面における硬貨入金口１３の両側の領域には、４つの占有ボタン１８が設けられる。４つの占有ボタン１８は、前側の左右にそれぞれ設けられた占有ボタン１８ａ、１８ｂと、後側の左右にそれぞれ設けられた占有ボタン１８ｃ、１８ｄと、を含む。前側の占有ボタン１８ａ、１８ｂは、それぞれ、左側および右側のテラーが貨幣入出金機１の紙幣に係る取引処理の占有を指示するために用いられる。同様に、後側の占有ボタン１８ｃ、１８ｄは、それぞれ、左側および右側のテラーが貨幣入出金機１の硬貨に係る取引処理の占有を指示するために用いられる。
【００３４】
また、外装カバー１０ｂの前面には、返却用受け皿１９が配置されている。返却用受け皿１９は、前方へ引き出すことができる。紙幣入金口１５にセットされた紙幣に硬貨等の異物が挟まれている場合、紙幣の搬入動作に伴い、異物が返却用受け皿１９に落下する。各テラーは、返却用受け皿１９を引き出すことにより異物を取出し、取り出した異物を適宜顧客等に返却する。
【００３５】
図２を参照し、紙幣入出金ユニット１１は、入金部１１０と、出金部１２０と、リジェクト部１３０と、搬送部１４０と、識別部１５０と、紙幣揃え部１６０と、２つのカセット１７０と、カセット１７０用の２つの一時保留部１８０と、３つのスタッカ１９０と、スタッカ１９０用の３つの一時保留部２００と、を備える。
【００３６】
入金部１１０、出金部１２０およびリジェクト部１３０は、外装体１０内の上部の正面近傍に設けられる。入金部１１０は紙幣入金口１５に繋がり、紙幣入金口１５を通じて入金部１１０にバラ状態の紙幣が投入される。出金部１２０およびリジェクト部１３０は紙幣出金口１４に繋がり、紙幣出金口１４を通じて出金部１２０からバラ状態の紙幣が取り出される。
【００３７】
入金部１１０は、入金繰出機構１１１を備える。入金繰出機構１１１は、入金部１１０に投入された紙幣を一枚ずつ搬送部１４０へ繰り出す。出金部１２０には、主に、スタッカ１９０から繰り出された紙幣が投出されるとともに、入金部１１０から繰り出された紙幣のうち、識別部１５０により属性（真偽、金種等）が識別できず、正常な紙幣と見做されなかった紙幣が、リジェクト紙幣として投出される。
【００３８】
リジェクト部１３０は、リジェクトボックス１６ａを含み、主に、出金時にスタッカ１９０等から繰り出された紙幣のうち、識別部１５０により属性（真偽、金種等）が識別できず、正常な紙幣と見做されない紙幣を、リジェクト紙幣として受け取る。リジェクト紙幣は、リジェクトボックス１６ａに収納され、リジェクトボックス１６ａを外装体１０から引き出すことによって回収することができる。
【００３９】
搬送部１４０は、ベルト機構、ローラー機構等により構成され、メイン搬送路１４１と、入金搬送路１４２と、出金搬送路１４３と、リジェクト搬送路１４４と、２つのカセット搬送路１４５と、３つのスタッカ搬送路１４６とを含む。メイン搬送路１４１は、外装体１０内を前後方向に延びるようにループ状に形成され、図２において、時計回り方向（実線矢印）と反時計回り方向（破線矢印）に紙幣を搬送することが可能である。
【００４０】
入金搬送路１４２は、入金部１１０とメイン搬送路１４１との間に設けられる。出金搬送路１４３は、出金部１２０とメイン搬送路１４１との間に設けられる。リジェクト搬送路１４４は、リジェクト部１３０とメイン搬送路１４１との間に設けられる。カセット搬送路１４５は、カセット１７０および一時保留部１８０とメイン搬送路１４１との間に設けられる。スタッカ搬送路１４６は、スタッカ１９０および一時保留部２００とメイン搬送路１４１との間に設けられる。
【００４１】
識別部１５０は、メイン搬送路１４１の上側のループの後部に設けられる。識別部１５０は、搬送部１４０を流れる紙幣の属性を識別し、識別結果を後述する制御部に出力する。識別される属性には、紙幣の真偽、金種、紙幣の表裏の向きなどが含まれる。また、識別部１５０は紙幣を計数し、計数結果を後述する制御部に出力する。
【００４２】
紙幣揃え部１６０は、搬送部１４０を流れる紙幣の表裏の向きを揃えるために設けられる。紙幣揃え部１６０は、識別部１５０の前方、即ち、識別部１５０よりも出金時の紙幣の流れの下流側に配置される。紙幣揃え部１６０は、メイン搬送路１４１の一部を構成する反転部１６１および非反転部１６２を含む。反転部１６１は、スイッチバック方式により紙幣を表裏反転させる反転機構を含む。反転部１６１を通過した紙幣は、紙幣の短手方向、即ち天地方向に沿って表裏反転し、表裏および天地の向きが入れ替わる。非反転部１６２は、反転部１６１とほぼ同じ経路長を有し、紙幣を現状の向きのまま通過させる。たとえば、識別部１５０での識別の結果、表向きと識別された紙幣が非反転部１６２を通過し、裏向きと識別された紙幣が反転部１６１を通過することにより、紙幣の向きが表向きに揃えられる。
【００４３】
２つのカセット１７０と３つのスタッカ１９０は、外装体１０内において、搬送部１４０の下方に、前後に並ぶように設けられる。２つのカセット１７０が３つのスタッカ１９０の前方に設けられる。カセット１７０およびスタッカ１９０は、前方に引き出し可能な支持ユニット（図示せず）に支持され、扉体１０ｃを開放することにより、外装体１０内に対して出し入れすることができる。
【００４４】
カセット１７０は、主に、スタッカ１９０から回収された紙幣やスタッカ１９０へ補充される紙幣を収納するために利用される。また、カセット１７０は、スタッカ１９０内の紙幣の精査を行う精査処理の際、紙幣を一時的に収納するために利用される。一方のカセット１７０を、２千円券、旧券、損券等の収納に利用することもできる。カセット１７０内には、紙幣が上下に積まれるように収納される。収納された紙幣を昇降するため、カセット１７０内に昇降ステージ１７０ａが設けられる。
【００４５】
カセット１７０用の一時保留部１８０は、対応するカセット１７０の上方に配置される。一時保留部１８０は、カセット１７０に収納される紙幣を一時的に保留（収納）する。一時保留部１８０の出入口側には繰出機構（図示せず）が設けられ、カセット１７０内の紙幣を、一時保留部１８０を通じてカセット搬送路１４５に繰り出すことができる。
【００４６】
スタッカ１９０は、入金された紙幣を金種別に収納するために利用される。たとえば、３つのスタッカ１９０のそれぞれに対し、一万円、千円および５千円の金種が割り当てられ得る。スタッカ１９０内には、紙幣が上下に積まれるように収納される。収納された紙幣を昇降するため、スタッカ１９０内に昇降ステージ１９０ａが設けられる。
【００４７】
スタッカ１９０用の一時保留部２００は、対応するスタッカ１９０の上方に配置される。一時保留部２００は、スタッカ１９０に収納される紙幣を一時的に保留（収納）する。一時保留部２００の出入口側には繰出機構（図示せず）が設けられ、スタッカ１９０内の紙幣を、一時保留部２００を通じてスタッカ搬送路１４６に繰り出すことができる。
【００４８】
紙幣の入金処理の際には、紙幣入金口１５を通じて入金部１１０に投入された紙幣が、搬送部１４０により搬送されるとともに識別部１５０で識別され、正常と識別された紙幣が、金種毎に、対応する一時保留部２００に一時的に保留される。そして、確定操作がなされると一時保留部２００内の紙幣が対応するスタッカ１９０内に収納される。なお、正常でないと識別された紙幣は、リジェクト紙幣として出金部１２０に戻される。
【００４９】
また、紙幣の出金処理の際には、出金操作により指定された金額の紙幣が、スタッカ１９０内から繰り出されて搬送部１４０により搬送され、その途中に紙幣揃え部１６０で表裏の向きが揃えられて出金部１２０に払い出される。出金部１２０の紙幣は、紙幣出金口１４を通じて取り出される。なお、紙幣は、搬送途中で識別部１５０により識別される。そして、正常でないと識別された紙幣は、リジェクト紙幣としてリジェクト部１３０のリジェクトボックス１６ａに収納される。
【００５０】
硬貨入出金ユニット１２は、図示しない硬貨搬送部、硬貨識別部、一時保留部、複数の金種別硬貨収納部などを備える。硬貨の入金処理の際には、硬貨入金口１３から投入された硬貨が、硬貨搬送部により搬送されるとともに硬貨識別部で識別され、正常と識別された硬貨が、金種毎に、対応する金種別硬貨収納部に収納される。なお、正常でないと識別された硬貨は、硬貨出金箱１６ｂに戻される。また、硬貨の出金処理の際には、出金操作により指定された金額の硬貨が金種別硬貨収納部から投出され、硬貨搬送部により搬送されて硬貨出金箱１６ｂに払い出される。
【００５１】
図３は、本実施形態に係る、貨幣入出金機１の主たる構成を示すブロック図である。
【００５２】
貨幣入出金機１は、上述した紙幣入出金ユニット１１、硬貨入出金ユニット１２、操作表示部１７、占有ボタン１８の他、制御部２１と、記憶部２２と、通信部２３と、を備える。
【００５３】
制御部２１は、ＣＰＵ（Central Processing Unit）等の演算回路を備え、記憶部２２に記憶された動作プログラムに従って、操作表示部１７、紙幣入出金ユニット１１の各構成部（入金繰出機構１１１、搬送部１４０、識別部１５０、紙幣揃え部１６０、カセット１７０、一時保留部１８０、スタッカ１９０、一時保留部２００等）および硬貨入出金ユニット１２等の各構成部を制御する。
【００５４】
記憶部２２は、ＲＯＭ（Read Only Memory）、ＲＡＭ（Random Access Memory）やハードディスク等の記憶媒体を備える。記憶部２２は、制御部２１の動作プログラムを記憶し、また、制御部２１の制御処理の際にワーク領域として利用される。通信部２３は、上位端末２との間で通信を行う。
【００５５】
貨幣入出金機１では、貨幣入出金機１が保有する貨幣（紙幣および硬貨）の在高が、金種毎に記憶部２２に記憶されて管理される。即ち、記憶部２２には、紙幣入出金ユニット１１のカセット１７０およびスタッカ１９０に収納された紙幣の在高データが、カセット１７０およびスタッカ１９０に割り当てられた金種に対応付けられて記憶される。また、記憶部２２には、各金種別硬貨収納部に収納された硬貨の在高データが、金種別硬貨収納部に割り当てられた金種に対応付けられて記憶される。記憶部２２における紙幣および硬貨の在高データは、補充処理や新たな取引処理（入金処理、出金処理等）が行われると、それに応じて更新される。なお、在高は、金額で管理されてもよいし、数量で管理されてもよいし、金額と数量の双方で管理されてもよい。
【００５６】
貨幣入出金機１では、入金処理、出金処理等の取引処理の他、貨幣入出金機１が実際に保有する貨幣の在高、即ち実在高が、在高データと一致するかを精査する精査処理を行うことができる。
【００５７】
図４（ａ）ないし（ｃ）は、本実施形態に係る、操作表示部１７に表示される管理メニュー画面Ｓ１の一例を示す図である。なお、図４（ａ）ないし（ｃ）では、グレーアウト表示されたメニューボタンＢ１や選択ボタンＢ２が破線により表現されている。
【００５８】
図４（ａ）に示すように、管理メニュー画面Ｓ１に配置された各種のメニューボタンＢ１の一つとして精査処理を実行させるための精査ボタンＢ１ａが含まれる。精査ボタンＢ１ａ等、特定のメニューボタンＢ１には、隣の位置に、そのメニューボタンＢ１による処理の対象として紙幣入出金ユニット１１を選択するため紙幣選択ボタンＢ２ａと硬貨入出金ユニット１２を選択するため硬貨選択ボタンＢ２ｂとが配置される。但し、選択ボタンＢ２ａ、Ｂ２ｂは、対応するメニューボタンＢ１が押される前は操作ができないようにグレーアウト表示の状態とされる。
【００５９】
テラー等の操作者は、紙幣入出金ユニット１１および硬貨入出金ユニット１２の双方について精査処理を行う場合、図４（ｂ）に示すように、精査ボタンＢ１ａを押した後、図４（ｃ）に示すように、グレーアウト表示が解かれた紙幣選択ボタンＢ２ａと硬貨選択ボタンＢ２ｂを押す。精査ボタンＢ１ａ、紙幣選択ボタンＢ２ａおよび硬貨選択ボタンＢ２ｂがハイライト表示に変わる。なお、精査ボタンＢ１ａが押されたとき、他のメニューボタンＢ１は、グレーアウト表示に変わり選択できなくなる。
【００６０】
本実施形態では、４つの占有ボタン１８に精査処理の開始させる開始ボタンの機能が付与されており、操作者が何れかの占有ボタン１８を押すと、精査処理が開始される。
【００６１】
なお、左側の占有ボタン１８ａ、１８ｃが押されて精査処理が開始された場合は、そのときの精査処理において、左側の占有ボタン１８ａ、１８ｃがリジェクト戻し処理を実行させるための操作ボタンとして機能し、右側の占有ボタン１８ｂ、１８ｄが精査結果確認画面Ｓ６を閉じて精査処理を終了させるための操作ボタンとして機能する。一方、右側の占有ボタン１８ｂ、１８ｄが押されて精査処理が開始された場合は、そのときの精査処理において、右側の占有ボタン１８ｂ、１８ｄがリジェクト戻し処理を実行させるための操作ボタンとして機能し、左側の占有ボタン１８ａ、１８ｃが精査結果確認画面Ｓ６を閉じて精査処理を終了させるための操作ボタンとして機能する。
【００６２】
図５および図６は、本実施形態に係る、精査処理の制御動作を示すフローチャートである。図７（ａ）は、本実施形態に係る、操作表示部１７に表示される計数実行画面Ｓ２の一例を示す図であり、図７（ｂ）は、本実施形態に係る、操作表示部１７に表示される計数結果画面Ｓ３の一例を示す図であり、図７（ｃ）は、本実施形態に係る、操作表示部１７に表示される確認操作画面Ｓ４の一例を示す図である。図８（ａ）は、本実施形態に係る、差額が発生していない場合に操作表示部１７に表示される精査結果確認画面Ｓ５の一例を示す図であり、図８（ｂ）は、本実施形態に係る、差額が発生している場合に操作表示部１７に表示される精査結果確認画面Ｓ６の一例を示す図である。
【００６３】
精査処理が開始されると、制御部２１は、操作表示部１７に計数実行画面Ｓ２を表示させる（Ｓ１０１）。図７（ａ）に示すように、計数実行画面Ｓ２は、メイン領域Ｒ１と、メイン領域Ｒ１の上方に位置するメッセージ領域Ｒ２と、メイン領域Ｒ１の右方に位置するボタン領域Ｒ３とで構成される。計数実行画面Ｓ２以降の精査処理に係る画面も、同様に、メイン領域Ｒ１、メッセージ領域Ｒ２およびボタン領域Ｒ３で構成される。計数実行画面Ｓ２には、メイン領域Ｒ１に、途中経過の計数結果として、計数により求められた紙幣および硬貨の在高が金種毎に金額で表示されるとともに、紙幣および硬貨の在高の総合計が金額で表示される。また、メッセージ領域Ｒ２に、計数の処理中である旨のメッセージが表示される。
【００６４】
制御部２１は、計数処理を開始する（Ｓ１０２）。計数処理では、一万円、５千円および千円の金種に割り当てられた各スタッカ１９０内の全ての紙幣および２千円の金種に割り当てられたカセット１７０内の全ての紙幣が、順次、そのスタッカ１９０またはカセット１７０と精査用に割り当てられたカセット１７０との間で往復移動され、その際に識別部１５０を用いて紙幣の数量が計測される。また、５００円、１００円、５０円、１０円、５円および１円の金種に割り当てられた各金種別硬貨収納部内の全ての硬貨が、順次、その金種別硬貨収納部と一時保留部との間で往復移動され、その際に硬貨識別部を用いて硬貨の数量が計測される。計数処理の際、何らかの原因により識別部１５０で金種が識別できなかった紙幣は、リジェクト紙幣として、リジェクトボックス１６ａに収納される。
【００６５】
制御部２１は、計数実行画面Ｓ２のメイン領域Ｒ１に表示された計数結果をリアルタイムに更新する（Ｓ１０３）。図７（ａ）の計数実行画面Ｓ２には、メイン領域Ｒ１に、たとえば、２千円の紙幣の計数が完了した時点での計数結果が表示されている。
【００６６】
計数処理が完了すると（Ｓ１０４：ＹＥＳ）、制御部２１は、操作表示部１７に計数結果画面Ｓ３を表示させる（Ｓ１０５）。図７（ｂ）に示すように、計数結果画面Ｓ３には、メイン領域Ｒ１に、最終の計数結果として、計数により求められた紙幣および硬貨の最終の在高が金種毎に金額で表示されるとともに、紙幣および硬貨の在高の最終の総合計が金額で表示される。また、メッセージ領域Ｒ２に、リジェクトボックス１６ａからのリジェクト紙幣の抜き取りを促すメッセージが表示される。
【００６７】
制御部２１は、リジェクトボックス１６ａからのリジェクト紙幣の抜き取りが完了したか否かを監視する（Ｓ１０６）。操作者は、外装体１０内からリジェクトボックス１６ａを引き出し、その中にリジェクト紙幣があればそれを抜き取って、リジェクトボックス１６ａを外装体１０内に収納する。リジェクト部１３０には、リジェクトボックス１６ａの引出および収納を検出するセンサ（図示せず）が設けられている。制御部２１は、外装体１０内から一旦引き出されたリジェクトボックス１６ａが外装体１０内に収納されると、リジェクトボックス１６ａからのリジェクト紙幣の抜き取りが完了したと判定する。
【００６８】
リジェクトボックス１６ａからのリジェクト紙幣の抜き取りが完了すると（Ｓ１０６：ＹＥＳ）、制御部２１は、操作表示部１７に確認操作画面Ｓ４を表示させる（Ｓ１０７）。
【００６９】
なお、リジェクトボックス１６ａ内に紙幣がない場合もあり得る。この場合、メッセージ領域Ｒ２に、リジェクトボックス１６ａからのリジェクト紙幣の抜き取りを促すメッセージが表示されない。そして、制御部２１は、リジェクトボックス１６ａからのリジェクト紙幣の抜き取りが完了したか否かを監視することなく、操作表示部１７に確認操作画面Ｓ４を表示させる。
【００７０】
図７（ｃ）に示すように、確認操作画面Ｓ４には、ボタン領域Ｒ３に確認ボタンＢ３が配置される。また、メッセージ領域Ｒ２に、金額（在高）を確認して確認ボタンＢ３を押すことを促すメッセージと、リジェクト戻し処理を開始するときには左側の占有ボタン１８ａ、１８ｃを押すことを知らせるメッセージが表示される。メイン領域Ｒ１の表示内容は、計数結果画面Ｓ３と同じである。なお、図７（ｃ）のメッセージ領域Ｒ２の表示例は、左側の占有ボタン１８ａ、１８ｃを押す操作により精査処理が開始された場合のものであり、右側の占有ボタン１８ｂ、１８ｄを押す操作により精査処理が開始された場合は、メッセージ領域Ｒ２に、リジェクト戻し処理を開始するときには右側の占有ボタン１８ｂ、１８ｄを押すことを知らせるメッセージが表示される。
【００７１】
制御部２１は、リジェクト戻し用の占有ボタン１８（図７（ｃ）の例では、左側の占有ボタン１８ａ、１８ｃ）が押された否か、および、確認ボタンＢ３が押されたか否かを監視する（Ｓ１０８、Ｓ１０９）。
【００７２】
記憶部２２に記憶された在高データには、リジェクト紙幣の在高も含まれる。よって、リジェクト紙幣の在高を、在高データとの比較の対象とするためには、リジェクト紙幣を計数し、スタッカ１９０等に戻す必要がある。よって、通常、操作者は、リジェクトボックス１６ａからリジェクト紙幣を抜き取った場合、リジェクト紙幣を紙幣入金口１５にセットして、リジェクト戻し用の占有ボタン１８を押す。
【００７３】
リジェクト戻し用の占有ボタン１８が押されると（Ｓ１０８：ＹＥＳ）、制御部２１は、操作表示部１７に計数実行画面Ｓ２を表示させ（Ｓ１１０）、リジェクト戻し処理を開始する（Ｓ１１１）。リジェクト戻し処理では、リジェクト紙幣が入金部１１０から繰り出され、識別部１５０で金種が識別された後、その金種に割り当てられたスタッカ１９０等に収納される。その際、識別部１５０を用いてリジェクト紙幣の数量が計測される。なお、金種が識別できなかったリジェクト紙幣は、出金部１２０に投出される。制御部２１は、計数実行画面Ｓ２のメイン領域Ｒ１に表示された計数結果をリアルタイムに更新する（Ｓ１１２）。
【００７４】
リジェクト戻し処理が完了すると（Ｓ１１３：ＹＥＳ）、Ｓ１０７に戻り、制御部２１は、操作表示部１７に再び確認操作画面Ｓ４を表示させる（Ｓ１０５）。このとき、確認操作画面Ｓ４のメイン領域Ｒ１に表示された最終の計数結果は、戻されたリジェクト紙幣の計数を反映したものとなる。
【００７５】
リジェクトボックス１６ａ内にリジェクト紙幣がなかった場合、あるいは、リジェクト戻し処理によってリジェクト紙幣を全て戻し終えた場合、操作者は、確認操作画面Ｓ４の確認ボタンＢ３を押す。また、リジェクト戻し処理の結果、出金部１２０にリジェクト紙幣が存在する場合、再びリジェクト戻し処理を行うこともできる。しかしながら、リジェクト紙幣を戻すことは困難であると判断した場合、操作者は、リジェクト紙幣を手元に所持したまま確認ボタンＢ３を押す。
【００７６】
確認ボタンＢ３が押されると（Ｓ１０９：ＹＥＳ）、制御部２１は、計数処理およびリジェクト戻し処理により求めた実在高と記憶部２２に記憶された在高データとを精査する（Ｓ１１４）。精査の結果、実在高が在高データと一致しており差額が発生していなければ（Ｓ１１５：ＹＥＳ）、制御部２１は、終了ボタンＢ４を含む精査結果確認画面Ｓ５を操作表示部１７に表示させる（Ｓ１１６）。図８（ａ）に示すように、精査結果確認画面Ｓ５には、ボタン領域Ｒ３の下部であって確認ボタンＢ３が配置されていた位置と画面上で同じ位置に終了ボタンＢ４が配置される。また、ボタン領域Ｒ３の上部には、操作表示部１７の画面を確認操作画面Ｓ４へと戻すための戻しボタンＢ５が配置される。さらに、メイン領域Ｒ１には、精査結果として、差額明細、即ち、紙幣および硬貨における実在高と在高データとの金種別の差額および総合計の差額が表示される。精査結果確認画面Ｓ５では、差額は「０」となる。さらに、メッセージ領域Ｒ２には、差額を確認して終了ボタンＢ４を押すことを促すメッセージと、リジェクト戻し処理を開始するときには左側の占有ボタン１８ａ、１８ｃ（リジェクト戻し用の占有ボタン１８）を押すことを知らせるメッセージが表示される。
【００７７】
制御部２１は、リジェクト戻し用の占有ボタン１８が押された否か、および、終了ボタンＢ４が押されたか否かを監視する（Ｓ１１７、Ｓ１１８）。
【００７８】
差額が発生していないことを確認した操作者は、終了ボタンＢ４を押す。終了ボタンＢ４が押されると（Ｓ１１８：ＹＥＳ）、制御部２１は、精査結果確認画面Ｓ５による精査結果の表示を終了し、操作表示部１７に精査結果確認画面Ｓ５を閉じさせる（Ｓ１１９）。精査処理が終了し、操作表示部１７の画面が、図４（ａ）の管理メニュー画面Ｓ１に戻る。なお、再び、リジェクト戻し用の占有ボタン１８が押された場合は（Ｓ１１７：ＹＥＳ）、Ｓ１１０ないしＳ１１３によりリジェクト戻し処理が行われることになる。
【００７９】
一方、Ｓ１１４での精査の結果、実在高が在高データと一致しておらず差額が発生していれば（Ｓ１１５：ＮＯ）、制御部２１は、終了ボタンを含まない精査結果確認画面Ｓ６を操作表示部１７に表示させる（Ｓ１２０）。図８（ｂ）に示すように、精査結果確認画面Ｓ６には、ボタン領域Ｒ３の上部に戻しボタンＢ５が配置される。さらに、メイン領域Ｒ１には、差額明細が表示される。精査結果確認画面Ｓ６では、対象となる金種の欄と総合計の欄に差額が表示される。さらに、メッセージ領域Ｒ２には、差額を確認して右側の占有ボタン１８ｂ、１８ｄを押すことを促すメッセージと、リジェクト戻し処理を開始するときには左側の占有ボタン１８ａ、１８ｃを押すことを知らせるメッセージが表示される。なお、図８（ｂ）のメッセージ領域Ｒ２の表示例は、左側の占有ボタン１８ａ、１８ｃを押す操作により精査処理が開始された場合のものであり、右側の占有ボタン１８ｂ、１８ｄを押す操作により精査処理が開始された場合は、メッセージ領域Ｒ２に、差額を確認して左側の占有ボタン１８ａ、１８ｃを押すことを促すメッセージと、リジェクト戻し処理を開始するときには右側の占有ボタン１８ｂ、１８ｄを押すことを知らせるメッセージが表示される。
【００８０】
制御部２１は、リジェクト戻し用の占有ボタン１８（図８（ｂ）の例では、左側の占有ボタン１８ａ、１８ｃ）が押された否か、および、終了用の占有ボタン１８（図８（ｂ）の例では、右側の占有ボタン１８ｂ、１８ｄ）が押されたか否かを監視する（Ｓ１２１、Ｓ１２２）。
【００８１】
差額を確認した操作者は、終了用の占有ボタン１８を押す。終了用の占有ボタン１８が押されると（Ｓ１２２：ＹＥＳ）、制御部２１は、精査結果確認画面Ｓ６による精査結果の表示を終了し、操作表示部１７に精査結果確認画面Ｓ６を閉じさせる（Ｓ１１９）。なお、再び、リジェクト戻し用の占有ボタン１８が押された場合は（Ｓ１２１：ＹＥＳ）、Ｓ１１０ないしＳ１１３によりリジェクト戻し処理が行われることになる。
【００８２】
なお、上記の例では、計数実行画面Ｓ２等において、計数結果として、在高が金額で表示された。また、精査結果確認画面Ｓ５、Ｓ６において、精査結果として、差額が表示された。しかしながら、計数実行画面Ｓ２等において、計数結果として、在高が数量で表示されてもよく、精査結果確認画面Ｓ５、Ｓ６において、精査結果として、不足数量や超過数量が表示されてもよい。
【００８３】
＜実施形態の効果＞
本実施形態によれば、以下の効果が奏され得る。
【００８４】
実在高と在高データとが一致する場合と一致しない場合とで、精査結果の表示を終了させるための終了操作の受け付けの態様を異ならせるようにしたので、精査処理に係る一連の操作の流れの中で安易に終了操作が行われてしまうということが生じにくい。このため、実在高と在高データとが一致しないにもかかわらず、その結果を確認せずに精査処理を終了させてしまうということが生じにくく、操作者は、不一致の結果を十分に認識することができる。
【００８５】
また、実在高と在高データとが一致するかに応じて用いられる２つの終了ボタンとして、精査結果確認画面Ｓ５上の終了ボタンＢ４と、操作表示部１７の外に設けられた占有ボタン１８とが用いられるので、これら２つの終了ボタンの位置を大きく離すことが可能となる。これにより、安易な終了操作が行われてしまうことが一層生じにくくなる。
【００８６】
さらに、実在高と在高データとが一致する場合は、精査結果確認画面Ｓ５上の終了ボタンＢ４が終了操作に用いられるので、操作者は、終了操作を容易に行うことができ、実在高と在高データとが一致しない場合は、操作表示部１７の外に設けられた占有ボタン１８が終了操作に用いられるので、不一致の場合に、安易に終了操作が行われてしまうということが一層生じにくい。
【００８７】
なお、上記実施形態では、実在高と在高データとが一致する場合は、精査結果確認画面Ｓ５上の終了ボタンＢ４による終了操作がなされたときに精査結果の表示が終了され、実在高と在高データとが一致しない場合は、操作表示部１７の外に設けられた占有ボタン１８による終了操作がなされたときに精査結果の表示が終了された。しかしながら、実在高と在高データとが一致しているか否かに応じて終了操作の受け付けの態様を異ならせる方法は、これに限られるものではなく、たとえば、以下の変更例１ないし変更例３に示される方法であってもよい。
【００８８】
＜変更例１＞
図９は、変更例１に係る、精査処理の制御動作を示すフローチャートである。図１０（ａ）は、変更例１に係る、差額が発生していない場合に操作表示部１７に表示される精査結果確認画面Ｓ５の一例を示す図であり、図１０（ｂ）は、変更例１に係る、差額が発生している場合に操作表示部１７に表示される精査結果確認画面Ｓ７の一例を示す図である。
【００８９】
以下、本変更例の精査処理について説明する。なお、本変更例の精査処理は、Ｓ１０１からＳ１１５までの処理が、上記実施形態の精査処理と同様であるため、これらの処理の説明は省略し、上記実施形態の精査処理と異なる図９のＳ１３１以降の処理について説明する。
【００９０】
Ｓ１１４で実在高と在高データとの精査が行われた結果、Ｓ１１５で差額が発生していないと判定されると（Ｓ１１５：ＹＥＳ）、制御部２１は、上記実施形態と同様、図１０（ａ）に示すような、確認操作画面Ｓ４の確認ボタンＢ３と同じ位置に終了ボタンＢ４が配置された精査結果確認画面Ｓ５を操作表示部１７に表示させる（Ｓ１３１）。
【００９１】
一方、Ｓ１１５で差額が発生していると判定されると（Ｓ１１５：ＮＯ）、制御部２１は、確認操作画面Ｓ４の確認ボタンＢ３と離れた位置に終了ボタンＢ６が配置された精査結果確認画面Ｓ７を操作表示部１７に表示させる（Ｓ１３２）。図１０（ｂ）に示すように、精査結果確認画面Ｓ７には、ボタン領域Ｒ３の中央部であり、確認ボタンＢ３が配置されていた位置に対して終了ボタンＢ４よりも画面上で離れた位置に終了ボタンＢ６が配置される。即ち、精査結果確認画面Ｓ７の終了ボタンＢ６は、精査結果確認画面Ｓ５の終了ボタンＢ４とは、操作表示部１７の表示面上において異なる位置に配置される。
【００９２】
制御部２１は、リジェクト戻し用の占有ボタン１８が押された否か、および、終了ボタンＢ４、Ｂ６が押されたか否かを監視し（Ｓ１３３、Ｓ１３４）、終了ボタンＢ４、Ｂ６が押されると（Ｓ１３４：ＹＥＳ）、精査結果確認画面Ｓ５、Ｓ７による精査結果の表示を終了し、操作表示部１７に精査結果確認画面Ｓ５、Ｓ７を閉じさせる（Ｓ１３５）。
【００９３】
なお、上記の例では、精査結果確認画面Ｓ５の終了ボタンＢ４が、確認操作画面Ｓ４の確認ボタンＢ３と同じ位置に配置されているが、終了ボタンＢ４は、終了ボタンＢ６の場合よりも確認ボタンＢ３の位置に近ければ、確認ボタンＢ３の位置から離れた位置に配置されてもよい。
【００９４】
本変更例の構成においても、実在高と在高データとが一致する場合と一致しない場合とで、精査結果の表示を終了させるための終了操作の受け付けの態様を異ならせることができる。よって、上記実施形態と同様、実在高と在高データとが一致しないにもかかわらず、その結果を確認せずに精査処理を終了させてしまうということが生じにくく、操作者は、不一致の結果を十分に認識することができる。
【００９５】
さらに、本変更例の構成では、操作表示部１７の外に設けられた占有ボタン１８などの操作手段を別途利用する必要がない。
【００９６】
さらに、本変更例の構成では、差額の発生がないため確認がなくとも支障が生じにくい精査結果確認画面Ｓ５では終了ボタンＢ４が先に表示される確認操作画面Ｓ４の確認ボタンＢ３の位置に近い位置に配置されるので、操作者は、確認ボタンＢ３を押す操作に引き続いて終了ボタンＢ４を押す操作を行いやすく、終了操作が行いやすくなる。一方、差額の発生があるため十分な確認が求められる精査結果確認画面Ｓ７では、終了ボタンＢ６が確認ボタンＢ３の位置から遠い位置に配置されるので、操作者は、確認ボタンＢ３を押す操作に引き続いて終了ボタンＢ６を押す操作を行いにくく、安易に終了操作がなされてしまうことが生じにくい。
【００９７】
なお、本変更例において、精査結果確認画面Ｓ５、精査結果確認画面Ｓ７および確認操作画面Ｓ４が、それぞれ、特許請求の範囲に記載の「第１の画面」、「第２の画面」および「第３の画面」に対応する。また、終了ボタンＢ４、終了ボタンＢ６および確認ボタンＢ３が、それぞれ、特許請求の範囲に記載の「第１の終了ボタン」、「第２の終了ボタン」および「遷移ボタン」に対応する。
【００９８】
＜変更例２＞
図１１は、変更例２に係る、精査処理の制御動作を示すフローチャートである。図１２（ａ）および（ｂ）は、変更例２に係る、操作表示部１７に表示される精査結果確認画面Ｓ５の一例を示す図であり、図１２（ｃ）は、変更例２に係る、操作表示部１７に表示される終了確認画面Ｓ８の一例を示す図である。
【００９９】
以下、本変更例の精査処理について説明する。なお、本変更例の精査処理は、Ｓ１０１からＳ１１４までの処理が、上記実施形態の精査処理と同様であるため、これらの処理の説明は省略し、上記実施形態の精査処理と異なる図１１のＳ１４１以降の処理について説明する。
【０１００】
Ｓ１１４で実在高と在高データとの精査が行われると、制御部２１は、差額の発生の有無に関わらず、上記実施形態で差額が発生しなかった場合と同様、終了ボタンＢ４を含む精査結果確認画面Ｓ５を操作表示部１７に表示させる（Ｓ１４１）。精査結果確認画面Ｓ５には、差額の発生がない場合、図１２（ａ）のように、メイン領域Ｒ１に差額が「０」となる精査結果（差額明細）が表示され、差額の発生がある場合、図１２（ｂ）のように、メイン領域Ｒ１に差額が示された精査結果（差額明細）が表示される。
【０１０１】
制御部２１は、リジェクト戻し用の占有ボタン１８が押された否か、および、終了ボタンＢ４が押されたか否かを監視する（Ｓ１４２、Ｓ１４３）。そして、終了ボタンＢ４が押された場合に（Ｓ１４３：ＹＥＳ）、制御部２１は、実在高が在高データと一致しており差額が発生していなければ（Ｓ１４４：ＹＥＳ）、精査結果確認画面Ｓ５による精査結果の表示を終了し、操作表示部１７に精査結果確認画面Ｓ５を閉じさせる（Ｓ１４５）。
【０１０２】
一方、終了ボタンＢ４が押された場合に（Ｓ１４３：ＹＥＳ）、制御部２１は、実在高が在高データと一致しておらず差額が発生していれば（Ｓ１４４：ＮＯ）、確認処理として、操作表示部１７に終了確認画面Ｓ８を表示させる（Ｓ１４６）。この段階では、一旦、画面が終了確認画面Ｓ８に切り替えられただけであり、終了確認画面Ｓ８での操作により精査結果確認画面Ｓ５へ戻ることができるので、制御部２１は、精査結果確認画面Ｓ５による精査結果の表示を終了させてはいない。即ち、終了確認画面Ｓ８への切り替わりは、精査結果の表示を終了させる行為ではない。
【０１０３】
図１２（ｃ）に示すように、終了確認画面Ｓ８には、メイン領域Ｒ１に、精査処理を終了してよいかを尋ねるメッセージと、終了する場合と精査結果確認画面Ｓ５に戻す場合の操作方法が表示される。また、ボタン領域Ｒ３の下部であって終了ボタンＢ４が配置されていた位置と画面上で同じ位置に否定ボタンＢ７が配置され、ボタン領域Ｒ３の上部に肯定ボタンＢ８が配置される。
【０１０４】
操作者は、精査結果確認画面Ｓ５で差額を確認して終了ボタンＢ４を押した場合、終了確認画面Ｓ８において肯定ボタンＢ８を押す。肯定ボタンＢ８が押されると（Ｓ１４７：ＹＥＳ）、制御部２１は、精査結果確認画面Ｓ５による精査結果の表示を終了し、操作表示部１７に終了確認画面Ｓ８を閉じさせる（Ｓ１４８）。
【０１０５】
一方、操作者は、精査結果確認画面Ｓ５で差額を確認せずにうっかり終了ボタンＢ４を押したような場合であっても、差額があれば終了確認画面Ｓ８が表示されることにより、終了確認画面Ｓ８において否定ボタンＢ７を押す。否定ボタンＢ７が押されると（Ｓ１４９：ＹＥＳ）、制御部２１は、精査結果確認画面Ｓ５による精査結果の表示を継続すべく、操作表示部１７に精査結果確認画面Ｓ５を再び表示させる（Ｓ１４１）。
【０１０６】
なお、上記の例では、終了確認画面Ｓ８の否定ボタンＢ７が、精査結果確認画面Ｓ５の終了ボタンＢ４と同じ位置に配置されているが、否定ボタンＢ７は、肯定ボタンＢ８よりも終了ボタンＢ４の位置に近ければ、終了ボタンＢ４の位置から離れた位置に配置されてもよい。
【０１０７】
本変更例の構成においても、実在高と在高データとが一致する場合と一致しない場合とで、精査結果の表示を終了させるための終了操作の受け付けの態様を異ならせることができる。よって、上記実施形態と同様、実在高と在高データとが一致しないにもかかわらず、その結果を確認せずに精査処理を終了させてしまうということが生じにくく、操作者は、不一致の結果を十分に認識することができる。
【０１０８】
また、本変更例の構成では、実在高と在高データとが一致しない場合には、終了操作として、確認処理を挟んだ２回の操作が必要となるので、終了操作が複雑になり、実在高と在高データとが一致しないにもかかわらず、その結果を確認せずに精査処理を終了させてしまうということが一層生じにくくなる。
【０１０９】
さらに、本変更例の構成では、実在高と在高データとが一致する場合と一致しない場合とで、精査結果を表示する画面（精査結果確認画面Ｓ５）の画面構成を変える必要がない。
【０１１０】
さらに、本変更例の構成では、終了確認画面Ｓ８において、否定ボタンＢ７は先に表示される精査結果確認画面Ｓ５の終了ボタンＢ４の位置と近い位置に配置されるので、操作者は、終了ボタンＢ４を押す操作に引き続いて否定ボタンＢ７を押す操作を行いやすく、操作表示部１７の画面を精査結果確認画面Ｓ５へ戻す操作が行いやすくなる。一方、肯定ボタンＢ８は、終了ボタンＢ４の位置から遠い位置に配置されるので、操作者は、終了ボタンＢ４を押す操作に引き続いて肯定ボタンＢ８を押す操作を行いにくく、終了ボタンＢ４と肯定ボタンＢ８とによる終了操作が安易に完了してしまうことが生じにくい。
【０１１１】
＜変更例３＞
図１３は、変更例３に係る、精査処理の制御動作を示すフローチャートである。図１４（ａ）および（ｂ）は、変更例３に係る、操作表示部１７に表示される精査結果確認画面Ｓ５の一例を示す図である。
【０１１２】
以下、本変更例の精査処理について説明する。なお、本変更例の精査処理は、Ｓ１０１からＳ１１４までの処理が、上記実施形態の精査処理と同様であるため、これらの処理の説明は省略し、上記実施形態の精査処理と異なる図１３のＳ１５１以降の処理について説明する。
【０１１３】
Ｓ１１４で実在高と在高データとの精査が行われると、制御部２１は、差額の発生の有無に関わらず、上記実施形態で差額が発生しなかった場合と同様、終了ボタンＢ４を含む精査結果確認画面Ｓ５を操作表示部１７に表示させる（Ｓ１５１）。精査結果確認画面Ｓ５には、差額の発生がない場合、図１４（ａ）のように、メイン領域Ｒ１に差額が「０」となる精査結果（差額明細）が表示されるとともに、メッセージ領域Ｒ２に終了ボタンＢ４を押すことを促すメッセージが表示され、差額の発生がある場合、図１４（ｂ）のように、メイン領域Ｒ１に差額が示された精査結果（差額明細）が表示されるとともに、メッセージ領域Ｒ２に終了ボタンＢ４を長押しすることを促すメッセージが表示される。
【０１１４】
制御部２１は、リジェクト戻し用の占有ボタン１８が押された否かを監視する（Ｓ１５２）。さらに、制御部２１は、実在高が在高データと一致しており差額が発生していなければ（Ｓ１５３：ＹＥＳ）、終了ボタンＢ４が押されたか否かを監視する（Ｓ１５４）。制御部２１は、終了ボタンＢ４がタッチされれば、タッチが継続した時間に関わらず、終了ボタンＢ４が押されたと判定する。終了ボタンＢ４が押されると（Ｓ１５４：ＹＥＳ）、制御部２１は、精査結果確認画面Ｓ５による精査結果の表示を終了し、操作表示部１７に精査結果確認画面Ｓ５を閉じさせる（Ｓ１５５）。
【０１１５】
一方、制御部２１は、実在高が在高データと一致しておらず差額が発生していれば（Ｓ１５３：ＮＯ）、終了ボタンＢ４が長押しされたか否かを監視する（Ｓ１５６）。制御部２１は、終了ボタンＢ４がタッチされ、そのタッチの継続時間が所定時間を超えると、終了ボタンＢ４が長押しされたと判定する。終了ボタンＢ４が長押しされると（Ｓ１５６：ＹＥＳ）、制御部２１は、精査結果確認画面Ｓ５による精査結果の表示を終了し、操作表示部１７に精査結果確認画面Ｓ５を閉じさせる（Ｓ１５５）。
【０１１６】
なお、上記の例では、差額が発生している場合に、終了ボタンＢ４が長押しされたか否かが監視された。しかしながら、終了ボタンＢ４の長押し（ロングタッチ操作）ではなく、たとえば、終了ボタンＢ４に対するフリック操作、スライド操作またはダブルタッチ操作が監視される構成であってもよい。即ち、差額が発生している場合の終了ボタンＢ４に対する操作方法が、差額が発生していない場合の終了ボタンＢ４に対する操作方法と異なっていれば良く、望ましくは、差額が発生していない場合の終了ボタンＢ４に対する操作方法より複雑であると良い。
【０１１７】
本変更例の構成においても、実在高と在高データとが一致する場合と一致しない場合とで、精査結果の表示を終了させるための終了操作の受け付けの態様を異ならせることができる。よって、上記実施形態と同様、実在高と在高データとが一致しないにもかかわらず、その結果を確認せずに精査処理を終了させてしまうということが生じにくく、操作者は、不一致の結果を十分に認識することができる。
【０１１８】
さらに、本変更例の構成では、在高と在高データとが一致する場合と一致しない場合とで、同じ一つの終了ボタンＢ４を用いることができる。
【０１１９】
＜その他の変更例＞
上記実施の形態では、差額が発生していない場合に、精査結果確認画面Ｓ５の終了ボタンＢ４が終了操作に用いられ、差額が発生している場合に、占有ボタン１８が終了操作に用いられた。しかしながら、これとは反対に、差額が発生している場合に、精査結果確認画面Ｓ５の終了ボタンＢ４が終了操作に用いられ、差額が発生していない場合に、占有ボタン１８が終了操作に用いられてもよい。但し、この場合は、精査結果確認画面Ｓ５の終了ボタンＢ４が、確認操作画面Ｓ４の確認ボタンＢ３が配置されていた位置から離れた画面上の位置に配置される。
【０１２０】
また、上記実施の形態では、差額が発生している場合に、終了操作のための操作ボタンとして占有ボタン１８が利用された。しかしながら、操作表示部１７の外に設けられていれば、その他の操作ボタンが終了操作に用いられてもよい。その操作ボタンは、終了操作専用のものであってもよいし、他の操作と終了操作とに併用されるものであってもよい。
【０１２１】
さらに、上記実施形態および上記変更例のように、終了操作のための操作ボタンが、差額が発生している場合と発生していない場合とで異なる位置に設けられる構成の場合に、４つの占有ボタン１８のうち、一つまたは複数の占有ボタン１８、たとえば、左側の占有ボタン１８ａ、１８ｃが、差額が発生している場合の終了操作に用いられ、残りの占有ボタン１８のうちの一つまたは複数の占有ボタン１８、たとえば、右側の占有ボタン１８ｂ、１８ｄが、差額が発生していない場合の終了操作に用いられるようにしてもよい。
【０１２２】
さらに、上記変更例２では、差額が発生している場合に、精査結果確認画面Ｓ５の終了ボタンＢ４が押されると、確認処理として、終了確認画面Ｓ８が表示され、終了確認画面Ｓ８の肯定ボタンＢ８が押されると、終了確認画面Ｓ８が閉じられて、精査結果確認画面Ｓ５による精査結果の表示が終了された。しかしながら、確認処理が行われる形態としては、これに限られず、たとえば、差額が発生している場合に、精査結果確認画面Ｓ５の終了ボタンＢ４が押されると、確認処理として、音声による終了してもよいか否かを確認する報知がスピーカ等の報知部（図示せず）で行われ、その報知の後に、再び、終了ボタンＢ４が押されると、精査結果確認画面Ｓ５が閉じられて、精査結果確認画面Ｓ５による精査結果の表示が終了されるようにしてもよい。
【０１２３】
なお、上記実施形態および変更例１〜３では、紙幣入出金ユニット１１および硬貨入出金ユニット１２を備える貨幣入出金機１が、本発明の貨幣処理装置の一例として挙げられた。しかしながら、本発明は、紙幣入出金ユニット１１のみを備える紙幣入出金機や硬貨入出金ユニット１２のみを備える硬貨入出金機、貨幣入出金機１よりも大型の装置である出納機（出納システム）など、その他の貨幣処理装置に適用することも可能である。
【０１２４】
この他、本発明の実施形態は、特許請求の範囲に記載の範囲で適宜変更可能である。
【符号の説明】
【０１２５】
１  貨幣入出金機（貨幣処理装置）
１７  操作表示部（表示部）
１８  占有ボタン（第２の終了ボタン）
２１  制御部
１７０  カセット（貨幣収納部）
１９０  スタッカ（貨幣収納部）
Ｂ３  確認ボタン（遷移ボタン）
Ｂ４  終了ボタン（第１の終了ボタン）
Ｂ６  終了ボタン（第２の終了ボタン）
Ｓ４  確認操作画面（第３の画面）
Ｓ５  精査結果確認画面（第１の画面）
Ｓ７  精査結果確認画面（第２の画面）
【図１】
2019008398.tif 000003
【図２】
2019008398.tif 000004
【図３】
2019008398.tif 000005
【図４】
2019008398.tif 000006
【図５】
2019008398.tif 000007
【図６】
2019008398.tif 000008
【図７】
2019008398.tif 000009
【図８】
2019008398.tif 000010
【図９】
2019008398.tif 000011
【図１０】
2019008398.tif 000012
【図１１】
2019008398.tif 000013
【図１２】
2019008398.tif 000014
【図１３】
2019008398.tif 000015
【図１４】
2019008398.tif 000016